(57)【特許請求の範囲】
【請求項１】
第１の記録層と、
前記第１の記録層に対し積層方向に並べて配置された第２の記録層とを備え、
前記第１の記録層を再生する際に前記第１の記録層にて変調された光に基づく信号の周波数帯域と当該再生時に前記第２の記録層にて変調された光に基づく信号の周波数帯域とが互いに相違するよう前記第１の記録層と前記第２の記録層に記録が行われている、
ことを特徴とする光記録媒体。
【請求項２】
積層方向に複数の記録層を有する光記録媒体に記録を行う光記録装置において、
第１の記録層に応じた第１の変調方式にて記録信号を変調する第１の変調回路と、
前記第１の記録層に対して前記積層方向に隣り合う第２の記録層に応じた第２の変調方式にて記録信号を変調する第２の変調回路と、
記録対象とされる記録層に応じて、前記記録信号を変調する変調回路として前記第１の変調回路と前記第２の変調回路の何れか一方を選択する選択回路とを備え、
前記第１の変調方式と前記第２の変調方式は、変調後の信号の周波数帯域が互いに異なる変調方式となっている、
ことを特徴とする光記録装置。
【請求項３】
積層方向に複数の記録層を有し、第１の記録層にて変調された光に基づく信号の周波数帯域と、前記第１の記録層に対して積層方向に隣り合う第２の記録層にて変調された光に基づく信号の周波数帯域とが互いに相違するように、前記第１の記録層と前記第２の記録層に記録が行われている光記録媒体を再生する光再生装置において、
前記光記録媒体にて変調された光に基づく再生信号から第１の記録層に応じた第１の周波数成分と前記第１の記録層に対して積層方向に隣り合う第２の記録層に応じた第２の周波数成分とをそれぞれ抽出する抽出回路と、
前記第１の周波数成分の再生信号を復調する第１の復調回路と、
前記第２の周波数成分の再生信号を復調する第２の復調回路と、
再生対象とされる記録層に応じて、前記第１の復調回路にて復調された第１の復調信号と前記第２の復調回路にて復調された第２の復調信号の何れか一方を当該再生における復調信号として選択する選択回路とを備える、
ことを特徴とする光再生装置。
【発明の詳細な説明】
【技術分野】
【０００１】
本発明は、積層方向に複数の記録層を有する光記録媒体、および、この光記録媒体の記録／再生に用いて好適な光記録装置および光再生装置に関するものである。
【背景技術】
【０００２】
近年、記録媒体の高容量化が進められている。記録媒体の高容量化は、記録密度の向上の他、積層方向に複数の記録層を形成することによっても実現できる。しかし、このように記録層を積層すると、再生対象以外の記録層からの反射光（迷光）が光検出器に入射し、信号品質が劣化するとの問題が生じる。
【０００３】
この問題を解消するべく、以下の特許文献１では、第１の記録層と第２の記録層の間に、特定の偏光方向を有する光を選択的に透過させる偏光分離層を配する構成が提案されている。ここでは、第１の記録層に対する記録再生時には偏光分離層を透過しない偏光方向にてレーザ光が記録媒体に照射され、また、第２の記録層に対する記録再生時には偏光分離層を透過する偏光方向にてレーザ光が記録媒体に照射される。この構成によれば、記録再生対象とされない記録層からの迷光を抑制でき、信号品質の向上が図られる。
【特許文献１】特開２００３−３６５６１号公報
【発明の開示】
【発明が解決しようとする課題】
【０００４】
しかし、かかる従来技術によれば、第１の記録層と第２の記録層に対しそれぞれ偏光方向が固定されるため、一つの記録媒体中に２つの記録層までしか配置することができない。つまり、記録媒体の高容量化は、記録層を２層配置するところまでに制限されることとなる。
【０００５】
本発明は、かかる問題を解消するためになされたものであり、記録層の数に制限なく高容量化を図り得る光記録媒体および光記録装置を提供することを目的とする。また、この光記録媒体もしくはこの光記録装置にて記録が行われた光記録媒体を円滑に再生し得る光再生装置を提供することを目的とする。
【課題を解決するための手段】
【０００６】
請求項１の発明に係る光記録媒体は、第１の記録層と、前記第１の記録層に対し積層方向に並べて配置された第２の記録層とを備え、前記第１の記録層を再生する際に前記第１の記録層にて変調された光に基づく信号の周波数帯域と当該再生時に前記第２の記録層にて変調された光に基づく信号の周波数帯域とが互いに相違するよう前記第１の記録層と前記第２の記録層に記録が行われていることを特徴とする。
【０００７】
請求項２の発明は、積層方向に複数の記録層を有する光記録媒体に記録を行う光記録装置において、第１の記録層に応じた第１の変調方式にて記録信号を変調する第１の変調回路と、前記第１の記録層に対して前記積層方向に隣り合う第２の記録層に応じた第２の変調方式にて記録信号を変調する第２の変調回路と、記録対象とされる記録層に応じて、前記記録信号を変調する変調回路として前記第１の変調回路と前記第２の変調回路の何れか一方を選択する選択回路とを備え、前記第１の変調方式と前記第２の変調方式は、変調後の信号の周波数帯域が互いに異なる変調方式となっていることを特徴とする。
【０００８】
請求項３の発明は、積層方向に複数の記録層を有し、第１の記録層にて変調された光に基づく信号の周波数帯域と、前記第１の記録層に対して積層方向に隣り合う第２の記録層にて変調された光に基づく信号の周波数帯域とが互いに相違するように、前記第１の記録層と前記第２の記録層に記録が行われている光記録媒体を再生する光再生装置において、前記光記録媒体にて変調された光に基づく再生信号から第１の記録層に応じた第１の周波数成分と前記第１の記録層に対して積層方向に隣り合う第２の記録層に応じた第２の周波数成分とをそれぞれ抽出する抽出回路と、前記第１の周波数成分の再生信号を復調する第１の復調回路と、前記第２の周波数成分の再生信号を復調する第２の復調回路と、再生対象とされる記録層に応じて、前記第１の復調回路にて復調された第１の復調信号と前記第２の復調回路にて復調された第２の復調信号の何れか一方を当該再生における復調信号として選択する選択回路とを備えることを特徴とする。
【発明の効果】
【０００９】
本発明によれば、第１の記録層を再生する際、第１の記録層にて変調された光に基づく信号の周波数帯域と、当該再生時に第２の記録層にて変調された光に基づく信号の周波数帯域とが互いに相違するため、第１の記録層に応じた周波数成分を抽出することにより、第２の記録層にて変調された光（迷光）に基づくノイズが除去される。よって、迷光による信号品質の劣化を抑制することができる。
【００１０】
また、本発明では、記録層毎に偏光方向が固定されるものではないため、記録層の層数は２層に制限されず、３層以上の記録層を一つの光記録媒体に含めることができる。よって、記録媒体の高容量化を円滑に進めることができる。
【００１１】
本発明の特徴は、以下に示す実施の形態の説明により更に明らかとなろう。ただし、以下の実施の形態は、あくまでも、本発明を実施化する際の一つの例示であって、本発明は、以下の実施の形態によって何ら制限されるものではない。
【発明を実施するための最良の形態】
【００１２】
以下、本発明の実施の形態につき図面を参照して説明する。なお、本実施の形態では、光記録媒体として記録可能タイプの光ディスクが例示されている。
【００１３】
図１に、実施の形態に係るディスク（光記録媒体）１０の構成を示す。なお、同図（ａ）は、一部を扇形状に切り欠いたディスク１０の概観を示す図、同図（ｂ）は、同図（ａ）のＡの部分の断面構造を模式的に示す図である。
【００１４】
同図（ｂ）に示す如く、ディスク１０は、基板１１の上に、記録層１２と、中間層１３を積層方向に順次配置した構造となっている。基板１１は、ポリカーボネートからなっている。記録層１２は、記録膜と半透過膜を積層して形成されている。記録層１２の膜構造と材料は、既存の多層ディスクと同様のものを用いることができる。中間層１３は、ＵＶ硬化樹脂等の透光性樹脂からなっている。
【００１５】
レーザ光入射面から最も離れた記録層１４は、記録膜と反射膜（たとえば、アルミニウム膜）を積層して形成されている。この記録層１４の上に、カバー層１５が形成されている。カバー層１５は、たとえば、ＵＶ硬化樹脂からなっている。
【００１６】
各記録層のトラック構造は、既存の多層ディスクと同様に構成され得る。たとえば、ディスク１０の各記録層には、ランドとグルーブが螺旋状に形成され、ディスク内周部には、ピット列が螺旋状に配列されている。
【００１７】
図２に、本実施の形態に係る光ピックアップ装置の構成を示す。同図（ａ）は、立ち上げミラー１０６よりも後段側の構成を除く光学系の平面図、同図（ｂ）は、立ち上げミラー１０６以降の部分の側面図である。なお、同図（ｂ）では、１／４波長板１０７、対物レンズ１０８およびレンズホルダー１０９の部分が断面図として示されている。
【００１８】
図示の如く、光ピックアップ装置の光学系は、半導体レーザ１０１と、コリメータレンズ１０２と、偏光ビームスプリッタ１０３と、ビームエキスパンダ（収差補正用）を構成する凹レンズ１０４ａおよび凸レンズ１０４ｂと、凸レンズ１０４ｂを光軸方向に駆動するレンズアクチュエータ１０５と、立ち上げミラー１０６と、１／４波長板１０７と、対物レンズ１０８と、対物レンズホルダー１０９と、対物レンズアクチュエータ１１０と、アナモレンズ１１１と、光検出器１１２とを備えている。
【００１９】
半導体レーザ１０１は、所定波長のレーザ光（直線偏光）を出射する。半導体レーザ１０１から出射されたレーザ光は、コリメータレンズ１０２によって平行光とされた後、偏光ビームスプリッタ１０３に入射される。ここで、半導体レーザ１０１は、レーザ光が偏光ビームスプリッタ１０３に対しＰ偏光で入射するよう配置されている。よって、レーザ光は偏光ビームスプリッタ１０３をそのまま透過する。
【００２０】
その後、レーザ光は、凹レンズ１０４ａと凸レンズ１０４ｂを透過する際に、収差補正に応じて平行光から収束または拡散され、立ち上げミラー１０６によって対物レンズ１０８に向かう方向に反射される。しかる後、レーザ光は、１／４波長板１０７によって円偏光に変換され、対物レンズ１０８によってディスク１０上に収束される。この際、対物レンズ１０８が、対物レンズアクチュエータ１１０によってフォーカス方向およびトラッキング方向に駆動される。これにより、レーザ光は、目標記録層上のトラックを追従する。
【００２１】
ディスク１０によって反射されたレーザ光は、ディスク１０へ向かう際の光路を逆行し、偏光ビームスプリッタ１０３に入射される。このときレーザ光は、再度１／４波長板１０７を透過することによって、偏光ビームスプリッタ１０３に対しＳ偏光となっている。よって、レーザ光は、偏光ビームスプリッタ１０３によって略全光量が反射される。しかる後、レーザ光は、アナモレンズ１１１によって非点収差が導入された後、光検出器１１２上に集光される。
【００２２】
なお、本実施の形態では、フォーカスエラー信号の生成手法として非点収差法が採用され、トラッキングエラー信号の生成手法として１ビームプッシュプル法が採用されている。よって、光検出器１１２上には、非点収差法および１ビームプッシュプル法に応じたセンサーパターン（４分割センサ）が配されている。
【００２３】
図３に、本実施の形態に係る光ディスク装置の構成を示す。なお、同図には、記録および再生に関連する回路系のみが示されている。
【００２４】
同図において、エンコーダ２０１は、記録データに対し誤り訂正符号を付加する等のエンコード処理を行う。スイッチング回路２０２は、コントローラ２１４からの指令に応じて、エンコーダ２０１からの信号を第１の変調回路２０３ａまたは第２の変調回路２０３ｂの何れか一方に供給する。
【００２５】
第１の変調回路２０３ａは、入力された信号に対し第１の変調方式に従う変調を施す。第２の変調回路２０３ｂは、入力された信号に対し第２の変調方式に従う変調を施す。レーザ光の入射側から奇数番目の記録層に対し記録を行う場合には第１の変調回路２０３ａが選択され、偶数番目の記録層に対し記録を行う場合には第２の変調回路２０３ｂが選択される。
【００２６】
図４（ａ）は、第１の変調回路２０３ａに適用される第１の変調方式を示す図である。ここでは、０の連続個数が２個、４個、５個、６個、７個または９個となり且つ１が連続しないように、５ビットのデータ列が１６ビットのデータ列に変換される。したがって、このデータ列をＮＲＺＩ変調（Non Return to Zero Inversion）すると、信号幅が３Ｔ、５Ｔ、６Ｔ、７Ｔ、８Ｔ、９Ｔまたは１０Ｔの信号が生成される。第１の変調回路２０３ａは、図４（ａ）の変換テーブルをもとに符号変換を行った後、ＮＲＺＩ変調を行って信号幅が３Ｔ、５Ｔ、６Ｔ、７Ｔ、８Ｔ、９Ｔまたは１０Ｔの信号を生成し、これをスイッチング回路２０４に出力する。
【００２７】
図４（ｂ）は、第２の変調回路２０３ｂに適用される第２の変調方式を示す図である。ここでは、０の連続個数が１個か３個となり且つ１が連続しないように、５ビットのデータ列が１６ビットのデータ列に変換される。したがって、このデータ列をＮＲＺＩ変調すると、信号幅が２Ｔまたは４Ｔの信号が生成される。第２の変調回路２０３ｂは、図４（ｂ）の変換テーブルをもとに符号変換を行った後、ＮＲＺＩ変調を行って信号幅が２Ｔまたは４Ｔの信号を生成し、これをスイッチング回路２０４に出力する。
【００２８】
図３に戻り、スイッチング回路２０４は、コントローラ２１４からの指令に応じて、第１の変調回路２０３ａまたは第２の変調回路２０３ｂの何れか一方からの信号をレーザ駆動回路２０５に供給する。レーザ駆動回路２０５は、コントローラ２１４からの指令に応じて、光ピックアップ装置２０６内の半導体レーザ１０１を駆動する。すなわち、記録時にはスイッチング回路２０４から入力される信号にて変調された高パワーのレーザ光を出力させ、再生時には記録パワーよりも低い一定レベルのレーザ光を出力させる。
【００２９】
光ピックアップ装置２０６は、上記図２の構成を有する。光ピックアップ装置２０６は、ピックアップ送り機構（図示せず）によって、ディスク１０の径方向に移動可能に支持されている。
【００３０】
信号演算回路２０７は、光ピックアップ装置２０６内の光検出器１１２からの信号を演算処理して、各種信号（再生ＲＦ信号、フォーカスエラー信号、トラッキングエラー信号、等）を生成し、それぞれ対応する回路に供給する。
【００３１】
サーボ回路２０８は、信号演算回路２０７から入力されたフォーカスエラー信号およびトラッキングエラー信号からフォーカスサーボ信号およびトラッキングサーボ信号を生成し、光ピックアップ装置２０６内の対物レンズアクチュエータ１１０に供給する。また、目標記録層に対するフォーカスサーチの際に、コントローラ２１４からの指令に応じて、対物レンズ１０８を光軸方向に変位させる信号を対物レンズアクチュエータ１１０に供給する。
【００３２】
なお、サーボ回路２０８は、フォーカスサーチ時に、後述の如くフォーカスエラー信号上のＳ字カーブをカウントし、目標記録層に対するフォーカス引き込みを行う。この他、サーボ回路２０８は、再生ＲＦ信号が最良となるよう、光ピックアップ装置２０６内のレンズアクチュエータ１０５に駆動信号を供給する。
【００３３】
スイッチング回路２０９は、コントローラ２１４からの指令に応じて、信号演算回路２０７から入力された再生ＲＦ信号を、第１のフィルタ回路２１０ａと第２のフィルタ回路２１０ｂの何れか一方に供給する。
【００３４】
第１のフィルタ回路２１０ａは、ディスク１０の奇数番目の記録層を再生したときの再生ＲＦ信号の周波数帯域、すなわち、１／（６Ｔ）、１／（１０Ｔ）、１／（１２Ｔ）、１／（１４Ｔ）、１／（１６Ｔ）、１／（１８Ｔ）および１／（２０Ｔ）の周波数帯域を透過する櫛型フィルタから構成されている。第２のフィルタ回路２１０ｂは、ディスク１０の偶数番目の記録層を再生したときの再生ＲＦ信号の周波数帯域すなわち、１／（４Ｔ）および１／（８Ｔ）の周波数帯域を透過する櫛型フィルタから構成されている。図５（ａ）は第１のフィルタ回路２１０ａの透過特性、図５（ｂ）は第２のフィルタ回路２１０ｂの透過特性である。
【００３５】
奇数番目の記録層再生時には、再生目標の記録層に対し積層方向に隣り合う記録層からの再生信号成分（迷光によるノイズ成分）が第１のフィルタ回路２１０ａによって除去される。同様に、偶数番目の記録層再生時には、再生目標の記録層に対し積層方向に隣り合う記録層からの再生信号成分（迷光によるノイズ成分）が第２のフィルタ回路２１０ａによって除去される。よって、第１のフィルタ回路２１０ａおよび第２のフィルタ回路２１０ａから出力される再生ＲＦ信号を、それぞれ、奇数番目および偶数番目の記録層に対応する復調方式にて復調することにより、信頼性の高い復調信号を得ることができる。
【００３６】
図３に戻り、第１の復調回路２１１ａは、第１のフィルタ回路２１０ａから入力された再生ＲＦ信号をＮＲＺＩ復調してデータ列を生成し、生成したデータ列に対し第１の変調回路２０３ａにおける符号化変換と逆の変換を行ってデータ列を生成する。すなわち、図４（ａ）に示す変換テーブルをもとに、順次、１６ビットのデータ列を５ビットのデータ列に変換してスイッチング回路２１２に出力する。
【００３７】
第２の復調回路２１１ｂは、第２のフィルタ回路２１０ｂから入力された再生ＲＦ信号をＮＲＺＩ復調してデータ列を生成し、生成したデータ列に対し第２の変調回路２０３ｂにおける符号化変換と逆の変換を行ってデータ列を生成する。すなわち、図４（ｂ）に示す変換テーブルをもとに、順次、１６ビットのデータ列を５ビットのデータ列に変換してスイッチング回路２１２に出力する。
【００３８】
スイッチング回路２１２は、コントローラ２１４からの指令に応じて、第１の復調回路２１１ａおよび第２の復調回路２１１ｂから入力された復調信号のうち何れか一方をデコーダ２１３に出力する。デコーダ２１３は、スイッチング回路２１２から入力された復調信号をデコード処理して再生データを生成し後段回路に出力する。また、デコーダ２１３は、処理結果をコントローラ２１４に供給する。
【００３９】
コントローラ２１４は、内蔵メモリに格納された制御プログラムに応じて各部を制御する。
【００４０】
図３の構成において、奇数番目の記録層に記録を行う場合、コントローラ２１４は、記録データがエンコーダ２０１、第１の変調回路２０３ａおよびレーザ駆動回路２０５のルート（以下、「第１の記録処理ルート」と称する）に従って処理されるようにスイッチング回路２０２、２０４を制御する。したがって、奇数番目の記録層には、信号幅が３Ｔ、５Ｔ、６Ｔ、７Ｔ、８Ｔ、９Ｔおよび１０Ｔの記録信号が記録される。
【００４１】
また、偶数番目の記録層に記録を行う場合、コントローラ２１４は、記録データがエンコーダ２０１、第２の変調回路２０３ｂおよびレーザ駆動回路２０５のルート（以下、「第２の記録処理ルート」と称する）に従って処理されるようにスイッチング回路２０２、２０４を制御する。したがって、偶数番目の記録層には、信号幅が２Ｔおよび４Ｔの記録信号が記録される。
【００４２】
奇数番目の記録層を再生する場合、コントローラ２１４は、信号演算回路２０７からの再生ＲＦ信号が第１のフィルタ回路２１０ａ、第１の復調回路２１１ａおよびデコーダ２１３のルート（以下、「第１の再生処理ルート」と称する）に従って処理されるようにスイッチング回路２０９、２１２を制御する。したがって、奇数番目の記録層を再生する際には、信号幅が３Ｔ、５Ｔ、６Ｔ、７Ｔ、８Ｔ、９Ｔおよび１０Ｔの再生ＲＦ信号が抽出され再生される。
【００４３】
また、偶数番目の記録層を再生する場合、コントローラ２１４は、信号演算回路２０７からの再生ＲＦ信号が第２のフィルタ回路２１０ｂ、第２の復調回路２１１ｂおよびデコーダ２１３のルート（以下、「第２の再生処理ルート」と称する）に従って処理されるようにスイッチング回路２０９、２１２を制御する。したがって、偶数番目の記録層を再生する際には、信号幅が２Ｔおよび４Ｔの再生ＲＦ信号が抽出され再生される。
【００４４】
図６に、再生動作時の処理フローを示す。なお、以下では、記録層のことをレイヤーと称する。
【００４５】
再生動作が開始されると、第１および第２の再生処理ルートのうち再生目標レイヤーに対応する再生処理ルートが選択されるようスイッチング回路２０９、２１２が設定された後（Ｓ１０１）、フォーカスサーチが開始される（Ｓ１０２）。かかるフォーカスサーチ時に、サーボ回路２０８は、フォーカスエラー信号上のＳ字カーブをカウントし（Ｓ１０３）、そのカウント値が目標レイヤーに対応するカウント値（目標値）となったかを判別する（Ｓ１０４）。ここで、目標値は、フォーカスサーチ開始時に、コントローラ２１４からサーボ回路２０８に供給される。
【００４６】
しかる後、Ｓ字カーブのカウント値が目標値になると（Ｓ１０４：ＹＥＳ）、サーボ回路２０８は、フォーカスサーチを終了し、フォーカスサーボを開始する（Ｓ１０５）。これにより、レーザ光の焦点が目標レイヤーに引き込まれる。その後、レーザ光が当該レイヤーの管理領域（たとえば、ピット形成領域）にアクセスされ、当該管理領域の再生が行われる（Ｓ１０６）。なお、この管理領域にも、再生対象レイヤーと同じ信号幅（奇数番目のレイヤー：３Ｔ、５Ｔ、６Ｔ、７Ｔ、８Ｔ、９Ｔおよび１０Ｔ、偶数番目のレイヤー：２Ｔ、４Ｔ）にて情報が記録されている。この管理領域には、当該レイヤーの識別情報（たとえば、レイヤー番号）等が保持されている。管理領域の再生情報（管理情報）は、デコーダ２１３からコントローラ２１４に供給される。
【００４７】
コントローラ２１４は、デコーダ２１３から供給された管理情報を参照し、フォーカス引き込みが行われたレイヤーが目標レイヤーであるかを判別する（Ｓ１０７）。ここで、フォーカス引き込みが行われたレイヤーが目標レイヤーでなければ（Ｓ１０７：ＮＯ）、Ｓ１０２に戻り、再び、目標領域に対するフォーカス引き込みが行われる。他方、フォーカス引き込みが行われたレイヤーが目標レイヤーであれば（Ｓ１０７：ＹＥＳ）、当該レイヤーに対する再生処理が行われる(Ｓ１０８)。
【００４８】
なお、目標レイヤーに対し積層方向に隣り合うレイヤーにフォーカス引き込みがなされた場合、再生ＲＦ信号はスイッチング回路２０９、２１２にて選択設定されたフィルタ回路によってカットされるため、Ｓ１０６の処理ステップでは、デコード不能に基づく信号がデコーダ２１３からコントローラ２１４に供給される。この場合、コントローラ２１４は、フォーカス引き込みが行われたレイヤーが目標レイヤーでないと判定し（Ｓ１０７：ＮＯ）、Ｓ１０２に戻って、再び、目標レイヤーに対するフォーカス引き込みを行う。
【００４９】
図７に、記録動作時の処理フローを示す。
【００５０】
記録動作が開始されると、図６のＳ１０１〜Ｓ１０７と同様の処理が行われ、記録目標のレイヤーに対するアクセス処理が行われる。しかして、目標レイヤーにアクセスされると（Ｓ１０７：ＹＥＳ）、第１および第２の記録処理ルートのうち目標レイヤーに対応する記録処理ルートが選択されるようスイッチング回路２０２、２０４が設定される（Ｓ１１０）。しかる後、当該レイヤーの目標位置に光ピックアップ装置２０６がアクセスされ記録処理が行われる（Ｓ１１１）。
【００５１】
以上、本実施の形態によれば、目標レイヤーに隣接する上下のレイヤーからの不要な反射光（迷光）が目標レイヤーからの反射光（信号光）を受光する光検出器１１２に同時に入射しても、迷光による再生信号成分が、第１のフィルタ回路２１０ａまたは第２のフィルタ回路２１０ｂによってカットされる。よって、迷光による復調信号の品質劣化を抑制することができ、再生動作の円滑化ないし適正化を図ることができる。
【００５２】
なお、本実施の形態では、たとえば、レーザ光の入射側から３番目のレイヤー（レイヤー３）の再生時に、１番目のレイヤー（レイヤー１）および５番目のレイヤー（レイヤー５）にて反射された光（迷光）が光検出器１１２に同時に入射することとなる。これら迷光に基づく再生信号成分の周波数帯域は、３番目のレイヤーからの反射光（信号光）に基づく再生信号成分の周波数帯域と同じであるため、第１のフィルタ回路２１０ａによってカットされ得ない。
【００５３】
しかし、レイヤー１とレイヤー５は、目標レイヤーたるレイヤー３から層間方向に大きく離れているため、レイヤー１とレイヤー５にて反射された光（迷光）は、光検出器１１２上において大きく広がり、光検出器１１２からの信号には殆ど影響しないものとなる。よって、このようにレイヤー１とレイヤー５にて反射された光（迷光）が光検出器１１２に同時に入射しても、再生ＲＦ信号の品質は殆ど劣化せず、適正な再生動作を実現できる。
【００５４】
以上、本発明の実施形態について説明したが、本発明は上記実施形態に何ら制限されるものではない。また、本発明の実施形態も、上記の他、適宜、種々の変更が可能である。
【００５５】
たとえば、上記実施の形態では、光記録媒体として記録可能な光ディスクを示したが、再生専用の光ディスクに本発明を適用することも可能である。この場合、各レイヤー（半透過型）の記録領域には、たとえば、ピット列が螺旋状に形成される。そして、奇数番目のレイヤーには、再生信号の時間幅が３Ｔ、５Ｔ、６Ｔ、７Ｔ、８Ｔ、９Ｔおよび１０Ｔとなるようにピット列が配され、偶数番目のレイヤーには、再生信号の時間幅が２Ｔおよび４Ｔとなりようにピット列が配される。
【００５６】
また、上記実施の形態では、図３に示すように、エンコーダ２０１からの信号をスイッチング回路２０２にて第１の変調回路２０３ａと第２の変調回路２０３ｂの何れか一方に供給するようにしたが、エンコーダ２０１からの信号を第１の変調回路２０３ａと第２の変調回路２０３ｂの両方に供給し、スイッチング回路２０４によって、何れか一方の変調回路からの信号を選択的にレーザ駆動回路２０５に供給するようにしても良い。
【００５７】
また、上記実施の形態では、図３に示すように、信号演算回路２０７からの信号をスイッチング回路２０９にて第１のフィルタ回路２１０ａと第２のフィルタ回路２１０ｂの何れか一方に供給するようにしたが、信号演算回路２０７からの信号を第１のフィルタ回路２１０ａと第２のフィルタ回路２１０ｂの両方に供給し、スイッチング回路２１２によって、第１の復調回路２１１ａと第２の復調回路２１１ｂの何れか一方からの信号を選択的にデコーダ２１３に供給するようにしても良い。
【００５８】
この他、変換テーブルは図４に示すものに限定されず、これ以外の変換方式を用いることもできる。
【００５９】
本発明の実施の形態は、特許請求の範囲に示された技術的思想の範囲内において、適宜、種々の変更が可能である。
【図面の簡単な説明】
【００６０】
【図１】実施の形態に係る光ディスクの構成を示す図
【図２】実施の形態に係る光ピックアップ装置の構成を示す図
【図３】実施の形態に係る光ディスク装置の構成を示す図
【図４】実施の形態に係る変調方式（符号変換テーブル）を示す図
【図５】実施の形態に係る第１、第２のフィルタ回路のフィルタ特性を示す図
【図６】実施の形態に係る光ディスク装置の再生時の処理フローを示す図
【図７】実施の形態に係る光ディスク装置の記録時の処理フローを示す図
【符号の説明】
【００６１】
１０  光ディスク
１２  記録層
１４  記録層
２０２  スイッチング回路
２０３ａ  第１の変調回路
２０３ｂ  第２の変調回路
２０４  スイッチング回路
２０９  スイッチング回路
２１０ａ  第１のフィルタ回路
２１０ｂ  第２のフィルタ回路
２１１ａ  第１の復調回路
２１１ｂ  第２の復調回路
２１２  スイッチング回路
【図１】
0005072540.tif 000002
【図２】
0005072540.tif 000003
【図３】
0005072540.tif 000004
【図４】
0005072540.tif 000005
【図５】
0005072540.tif 000006
【図６】
0005072540.tif 000007
【図７】
0005072540.tif 000008